(57)【特許請求の範囲】
【請求項１】
警備領域内に配置されて前記警備領域への侵入者を検出するとコントローラに検知情報を送出するセンサー装置と、前記センサー装置からの検知情報に基づいて警備領域を監視するとともに携帯型無線通信機との無線通信を行うコントローラと、前記センサー装置の動作テストを行うための前記携帯型無線通信機を具備する警備システムであって、
前記携帯型無線通信機は、前記コントローラに対して登録センサー一覧要求信号を送出し、前記コントローラから登録センサー一覧を受信して表示部に表示し、点検者が動作テストを行おうとする個別のセンサー装置ごとに個別テスト要求信号を前記コントローラに送出し、テスト結果信号を受信して前記表示部に表示し、
前記コントローラは、前記登録センサー一覧要求信号を受信すると、前記携帯型無線通信機に対して予め登録されているセンサー装置の一覧である登録センサー一覧を送出し、前記個別テスト要求信号を受信した後に前記個別テスト要求の対象であるセンサー装置から検知情報を受信すると、センサーテスト結果信号を作成して前記携帯型無線通信機に送出し、前記個別テスト要求の対象ではないセンサー装置から受信した検知信号を無視すること、
を特徴とした警備システム。
【請求項２】
前記携帯型無線通信機は、点検者が以前に行われたセンサーテスト結果を確認しようとするセンサー装置ごとにセンサー登録データ要求信号を前記コントローラに送出し、当該センサー装置の以前に行われたセンサーテスト結果を受信して前記表示部に表示し、
前記コントローラは、センサー登録データ要求信号を受信すると、当該センサー装置の以前に行われたセンサーテスト結果を前記携帯型無線通信機に送出する請求項１に記載の警備システム。
【請求項３】
警備領域内に配置されて前記警備領域への侵入者を検出するとコントローラに検知情報を送出するセンサー装置と、前記センサー装置からの検知情報に基づいて警備領域を監視するとともに携帯型無線通信機との無線通信を行うコントローラと、前記センサー装置の動作テストを行うための前記携帯型無線通信機を具備する警備システムにおけるセンサーテスト方法であって、
点検者の操作により前記携帯型無線通信機がテストモード設定信号を送出し、前記テストモード設定信号を受信した前記コントローラがテストモードに移行するモード移行段階と、
点検者の操作により前記携帯型無線通信機が登録センサー一覧要求信号を送出し、前記登録センサー一覧要求信号を受信した前記コントローラが予め登録されている前記センサー装置の一覧を通知する登録センサー一覧確認信号を送出し、前記登録センサー一覧確認信号を受信した前記携帯型無線通信機が前記一覧を表示し、点検者が該表示を確認するセンサー一覧段階と、
点検者の操作により前記携帯型無線通信機が前記センサー装置ごとにセンサー個別テスト要求信号を送出し、前記コントローラが前記センサー個別テスト要求信号を受信することにより点検者がテストを行おうとするセンサー装置を指定するセンサー指定段階と、
点検者の操作により前記センサー装置から前記検知情報を送出せしめる発報操作を行う発報段階と、
前記コントローラが前記検知情報を受信し、前記検知情報が前記センサー指定段階において指定されたセンサー装置である場合に前記コントローラが前記検知情報を含んだセンサーテスト結果信号を生成して送出し、前記検知情報が前記センサー指定段階において指定されていないセンサー装置である場合に前記コントローラが検知信号を無視し、前記携帯型無線通信機が前記センサーテスト結果信号を受信して表示し、点検者に該表示を確認させるテスト結果確認段階と
を備えたことを特徴としたセンサーテスト方法。
【請求項４】
前記センサー一覧段階と前記センサー指定段階との間に、
点検者の操作により前記携帯型無線通信機が以前に行われたセンサーテスト結果を確認しようとするセンサー装置ごとにセンサー登録データ要求信号を送出し、前記センサー登録データ要求信号を受信した前記コントローラが当該センサー装置の以前に行われたセンサーテスト結果を送出し、前記携帯型無線通信機が前記センサーテスト結果を受信して表示し、点検者に該表示を確認させる段階を備えた請求項３に記載のセンサーテスト方法。
【発明の詳細な説明】
【０００１】
【発明の属する技術分野】
本発明は、警備領域の各所に設置したセンサー装置の検知情報をコントローラに送出し、コントローラにおいて警備領域を集中監視する警備システムに関するものである。
【０００２】
【従来の技術】
従来の警備システムは、警備領域の各所に設置したセンサー装置と、各センサー装置を集中監視するコントローラとから構成される。この警備システムにおいては、センサー装置は、異常状態を検出すると、検知情報コントローラに対して送出する。コントローラでは、受信したセンサーの検知情報に基づいて警備領域を集中監視する。
【０００３】
この警備システムにおいては、センサー装置の動作テストを行うことがある。この場合には、点検者がセンサー装置を動作させて発報させ、コントローラにおいてその動作確認を行う。センサー装置が発報をすると、検知情報をコントローラに対して送出をする。コントローラは、受信した検知情報から、発報したセンサー装置の位置、種別などを表示する。点検者は、コントローラの表示部においてこの表示をチェックすることにより、センサー装置の動作が正常に行われたことを確認することができる。
【０００４】
【発明が解決しようとする課題】
上記従来の警備システムにおいては、点検者は、センサー装置の位置においてセンサーを発報させた後にコントローラの表示を見る必要がある。通常、センサー装置はコントローラと離れた場所に設置されているため、点検者はセンサー装置位置とコントローラ位置を往復しなければならず非効率であった。
【０００５】
本発明は、警備システムにおいて、センサー装置の動作テストを行う際に、テストをするセンサー装置が設置された位置においてセンサー装置の動作確認を行うことを可能とすることを目的とするものである。
【０００６】
【課題を解決するための手段】
本発明は、上記目的を達成するためになされたものである。本発明は、警備領域に設置され前記警備領域への侵入者を検知し、検知情報を外部に送信する各種センサー装置と、前記検知情報を受信する受信部を有し、受信した検知情報に基づいて該警備領域を集中監視するコントローラと、前記センサー装置の動作テストを行うための前記携帯型無線通信機とを具備する警備システムを対象とする。
【０００７】
本発明は、このような警備システムにおいて、前記携帯型無線通信機は、前記コントローラに対して登録センサー一覧要求信号を送出し、前記コントローラから登録センサー一覧を受信して表示部に表示し、点検者が動作テストを行おうとする個別のセンサー装置ごとに個別テスト要求信号を前記コントローラに送出し、テスト結果信号を受信して前記表示部に表示し、前記コントローラは、前記登録センサー一覧要求信号を受信すると、前記携帯型無線通信機に対して予め登録されているセンサー装置の一覧である登録センサー一覧を送出し、前記個別テスト要求信号を受信した後に前記個別テスト要求の対象であるセンサー装置から検知情報を受信すると、センサーテスト結果信号を作成して前記携帯型無線通信機に送出し、前記個別テスト要求の対象ではないセンサー装置から受信した検知信号を無視する。
【０００８】
また、本発明においては、前記携帯型無線通信機は、点検者が以前に行われたセンサーテスト結果を確認しようとするセンサー装置ごとにセンサー登録データ要求信号を前記コントローラに送出し、当該センサー装置の以前に行われたセンサーテスト結果を受信して前記表示部に表示し、前記コントローラは、センサー登録データ要求信号を受信すると、当該センサー装置の以前に行われたセンサーテスト結果を前記携帯型無線通信機に送出する。
【０００９】
【発明の実施の形態】
以下、本発明の実施形態について図を用いて説明する。
図１は、警備システムの一例としての無線式警備システムの全体構成を示すブロック図である。
図１において、１は、所定の警備領域に設置された侵入者センサー、火災センサーなどの各種センサーである。２は、無線式の送信機で、入力端子を介してセンサー１が接続され、センサー１が発報をすると、検知情報を外部に送出する。10は、センサー１と無線式の送信機２からなるセンサー装置である。３は無線中継機である。なお、無線中継機３は、全ての無線送信機２が後述のコントローラと直接通信可能な状態にある場合は省略できるものである。
【００１０】
４は、集中監視用のコントローラであり、センサー１及び無線送信機２から送出された検知情報を受信して、警備領域内の異常の有無を監視する。５は、センサーのテスト時に使用する携帯型無線通信機であり、コントローラ４に対してテスト要求信号を送信し、コントローラ４からセンサーテスト結果信号を受信すると、センサー１の検知情報をその表示部に表示する。
【００１１】
図２は、コントローラ４の構成を示すブロック図である。
４１は、ＣＰＵ４１１、ＲＡＭ４１２、ＲＯＭ４１３から構成され、コントローラ４内の各機器の制御及びモード設定を行う制御部である。４２は、制御部４１の制御により各種表示を行う表示部である。４３は、制御部４１に各種指令を入力するための操作部である。４４は、センサーテスト結果信号をアンテナ４８を介して携帯型無線通信機５に送出するための送信部である。４５は、無線送信機２からの検知情報及び、携帯型無線通信機５からのテスト要求信号を受信するための受信部である。４６は、遠隔地にある監視センターに、電話回線４９を通して、異常を通報するための通報部である。
【００１２】
図３は、携帯型無線通信機５の構成を示すブロック図である。
５１は、ＣＰＵ５１１、ＲＡＭ５１２、ＲＯＭ５１３から構成され、携帯型無線通信機５内の各機器の動作を制御する制御部である。５２は、センサーの検知情報を表示する表示部である。５３は、テンキーなどを備えた操作部であり、この操作部５３から点検者による各種指令が入力される。５４は、テスト要求信号をアンテナ５８を介してコントローラ４に送出するための送信部である。５５は、コントローラ４からのセンサーテスト結果信号を受信するための受信部である。
【００１３】
ここで、図１〜図３に示した無線式警備システムの動作について説明する。
最初に、警備モードにあるときのシステムの動作について簡単に説明する。
センサー１は、異常を検知すると、動作信号を無線送信機２に出力する。無線送信機２は、センサー１から動作信号が入力されると、センサ１の動作信号と自身のアドレス信号を含む検知情報を外部に送出する。コントローラ４は、送出された検知情報を、直接、又は無線中継機３を介して受信すると、警報音などを発し、また、異常内容、異常箇所などをその表示部に表示すると共に、遠隔地にある監視センターに通報をする。
【００１４】
次に、センサーの動作テスト時の動作について、図４のタイムチャートを用いて説明する。
予め、その警備領域のレイアウト等の状況によって、各種センサー１や送信機２の配置場所が計画され、コントローラ４のＲＡＭ４１３に、センサー１のアドレス番号と対応して、センサー１の設置場所、そのセンサー１が接続されている送信機２の入力端子番号、送信機２のアドレス番号、設置場所等が記憶されている。
【００１５】
（１）点検者は、テストの開始に先立って、携帯型無線通信機５の操作部５３を操作することによって、テストモード設定信号をコントローラ４に対して送出する。コントローラ４では、アンテナ４８、受信部４５を介しこのテストモード設定信号を受信すると、制御部４１の図示しない設定手段によりテストモードに移行する。以後は、センサーの検知情報を受信しても、警報、通報などの動作は行わない。
【００１６】
（２）次いで点検者は、コントローラ４におけるセンサーの登録状態を確認するため、携帯型無線通信機５からコントローラ４に対して、登録センサー一覧要求信号を送出する。
（３）コントローラ４は、この要求信号を受信すると、登録されているセンサーの一覧を通知する信号（登録センサー一覧確認信号）を携帯型無線通信機５に送出する。携帯型無線通信機５は、この信号からセンサーの一覧を表示部５２に表示する。
【００１７】
（４）点検者は、表示された一覧に基づいて、登録されている各センサーが接続されている送信機の入力端子、及び以前に行なわれたテスト結果等を確認するために、確認しようとするセンサーごとに、携帯型無線通信機５からコントローラ４にセンサー登録データ要求信号を送出する。
（５）コントローラ４は、この要求に対して、当該センサーの登録データをセンサー登録データ転送信号により携帯型無線通信機５に返信する。
【００１８】
点検者は、（４）（５）の処理を繰り返して、必要なセンサーについてのデータを確認する。
（６）点検者は、発報テストをするため、携帯型無線通信機５からコントローラ４に対して、テストを行おうとする個別のセンサーごとに個別テスト要求信号を送出する。
【００１９】
（７）点検者は、テスト要求をしたセンサー１を発報させるため、センサー１に対して発報操作を行う。センサー１が正常であれば、センサー１は発報をし、送信機２はこの発報によりセンサー１の検知情報をコントローラ４に送出する。
（８）コントローラ４は送信機２から検知情報を受信すると、この検知情報から、センサーＮｏ、動作状態（発報／動作）を含むセンサーテスト結果信号を作成して携帯型無線通信機５に対して送出する。なお、コントローラ４は、個別テスト要求信号により指定されたセンサー１からの発報があった場合は、上述の端末テスト結果信号を送出するが、指定されていないセンサーからの検知情報は無視をする。
【００２０】
携帯型無線通信機５では、表示部２において、センサーＮｏ、動作状態などが表示される。点検者は、この表示を見て、点検者が行った発報操作とセンサーの動作状態が一致しているか否かを確認して、センサー１と送信機２に異常がないことをテストすることができる。点検者は、この（６）〜（８）の処理を繰り返して、必要なセンサーの動作確認を行う。この確認は、点検者が携帯している携帯型無線通信機５により行うことができるので、従来のように、一々コントローラ４の場所に戻る必要がなくなり、テスト作業を効率的に行うことができる。
【００２１】
（９）点検者は、以上説明したテスト動作を終了すると、その他の指令を携帯型無線通信機５から入力する。コントローラ４に対してこの指令が入力されると、コントローラ４では、テストモードを解除して、その他のモードに移行する。本発明においては、警備システムの一例として無線式警備システムを例示したが、センサー装置とコントローラ間が有線で接続されている有線式警備システムでも良いことは言うまでもない。このとき、センサー装置とはコントローラに信号を送出し有線で接続される端子を有する侵入者や、火災などを検出するセンサーをいう。
【図面の簡単な説明】
【図１】本発明が適用される無線式警備システムの全体構成を示すブロック図。
【図２】図１におけるコントローラの構成を示すブロック図。
【図３】図１における携帯型無線通信機の構成を示すブロック図。
【図４】図１のシステムの動作を説明するタイムチャート。
【符号の説明】
１…センサー
２…送信機
３…無線中継機
４…コントローラ
４１…制御部
４２…表示部
４３…操作部
４４…送信部
４５…受信部
４６…通報部
４８…アンテナ
５…携帯型無線通信機
５１…制御部
５２…表示部
５３…操作部
５４…送信部
５５…受信部
５８…アンテナ
【図１】
0003789201.tif 000002
【図２】
0003789201.tif 000003
【図３】
0003789201.tif 000004
【図４】
0003789201.tif 000005